(57)【要約】【課題】円筒体を簡単に支持できる円筒体の支持装置を提供すること。【解決手段】本発明は、支持台２の一面２ａ上に設けられ、円筒体を支持する支持機構１９を備える円筒体の支持装置１において、機構１９が、一面２ａ上に回転自在に設けられるリング状駆動歯車４、一面２ａ上であって歯車４の内側に歯車４の回転に連動して回転するように設けられる複数の従動歯車５、歯車５に固定され円筒体を支持する支持面７ａを有するアーム７、支持面７ａ上に固定され円筒体を支持する支持部材８を備える。円筒体がその内側に複数の支持部材８を収めて支持機構１９に載せられると、円筒体がアーム７の支持面７ａ上に載せられるため、支持台７の一面７ａ側で駆動歯車４を露出可能となり、支持台２の一面２ａ側から歯車４に簡単に回転駆動力を付与できる。従って、支持装置１が搬送装置に載せられた状態であっても、円筒体を簡単に支持できる。【選択図】  図１
2004240265.tif 000002
【特許請求の範囲】
【請求項１】
支持台の一面上に設けられ、円筒体を支持する支持機構を備える円筒体の支持装置において、
前記支持機構が、
前記一面上に回転自在に設けられるリング状の駆動歯車と、
前記一面上であって前記駆動歯車の内側に、前記駆動歯車の回転に連動して回転するように設けられる複数の従動歯車と、
前記複数の従動歯車のそれぞれに固定され前記円筒体を支持するための支持面を有するアームと、
前記複数の従動歯車のそれぞれに前記アームを介して固定され前記円筒体を支持する支持部材と、
を備えることを特徴とする円筒体の支持装置。
【請求項２】
前記円筒体が、電子写真感光体用円筒状基材と、前記電子写真感光体用円筒状基材の表面上に塗布されてなる感光体形成用塗布膜とを備えており、前記支持台が開口を有することを特徴とする請求項１に記載の円筒体の支持装置。
【請求項３】
支持台の一面上に設けられ、円筒体を支持する支持機構を複数備える円筒体の支持装置において、
前記支持機構が、前記一面上に回転自在に設けられるリング状の駆動歯車と、前記一面上であって前記駆動歯車の内側に、前記駆動歯車の回転に連動して回転するように設けられる複数の従動歯車と、前記複数の従動歯車のそれぞれに固定され前記円筒体を支持するための支持面を有するアームと、前記複数の従動歯車のそれぞれに前記アームを介して固定され前記円筒体を支持する支持部材とを備えており、複数の前記駆動歯車を一斉に連動して回転させる少なくとも１つの連結歯車を備えることを特徴とする円筒体の支持装置。
【請求項４】
前記円筒体が、電子写真感光体用円筒状基材と、前記電子写真感光体用円筒状基材の表面上に塗布されてなる感光体形成用塗布膜とを備えており、前記支持台が前記複数の支持機構のそれぞれに対応して開口を有することを特徴とする請求項３に記載の円筒体の支持装置。
【発明の詳細な説明】
【０００１】
【発明の属する技術分野】
本発明は、電子写真感光体の製造工程などに用いられる円筒体の支持装置に関する。
【０００２】
【従来技術】
電子写真感光体の製造工程において円筒体を搬送する場合、一般に、円筒体を支持する支持装置が用いられる。円筒体には、円筒基材上に感光層を形成したもの、円筒基材上に未乾燥の感光層形成用塗布膜を形成したもの等がある。
【０００３】
このような円筒体の支持装置として、従来、例えば特開平７−２６６１７４号公報に開示されるものが知られている。同公報に記載の支持装置１００においては、図６に示すように、デッキボード１０１に、円筒体１０２を支持する支持機構１０３が取り付けられている。支持機構１０３は、デッキボード１０１の裏面側に回転自在に取り付けられる円盤状の駆動歯車１０４と、デッキボード１０１の裏面側に回転自在に取り付けられる複数の円盤状の外周歯車１０５とを備えており、複数の外周歯車１０５は、駆動歯車１０４の外周に設けられ駆動歯車１０４の回転に伴って回転し、各外周歯車１０５にはアーム１０６を介して支持ピン１０７が固定されている。なお、デッキボード１０１には、支持ピン１０７の移動経路に沿って切欠き１０８が形成されている。
【０００４】
この支持装置１００においては、デッキボード１０１の表面上に、支持ピン１０７を内側に収めるように円筒体１０２が載せられ、駆動歯車１０４の回転により複数の外周歯車１０５が連動して一斉に回転し、それに伴い、支持ピン１０７が切欠き１０８に沿って移動する。これにより円筒体１０２に支持ピン１０７が押し当てられ、円筒体１０２が支持機構１０３によって支持されるようになっている。
【０００５】
【特許文献１】
特開平７−２６６１７４号公報
【０００６】
【発明が解決しようとする課題】
しかしながら、前述した従来の公報に記載の支持装置１００は、以下に示す課題を有する。
【０００７】
即ち円筒体１０２を搬送する場合は通常、コンベア１０８上に支持装置１００が載せられた後、支持装置１００に円筒体１０２が支持される。この場合、デッキボード１０１の表面上に円筒体１０２が載せられた後、駆動歯車１０４が回転されて支持ピン１０７が円筒体１０２の内面に押し当てられ、円筒体１０２が支持される。ところが、支持装置１００においては、駆動歯車１０４がデッキボード１０１の裏面側に設けられているため、駆動歯車１０４を回転駆動させるに際して、ギヤードモータ１０９の先端に取り付けられたレンチ１１０がデッキボード１０１から下方に延びる側壁によって形成された下部開口１０１ａを通して駆動歯車１０４の下面側から駆動歯車１０４の軸心部分に差し込まれる。このため、円筒体１０２を支持する作業が極めて面倒であった。
【０００８】
本発明は、上記事情に鑑みてなされたものであり、円筒体を搬送装置で搬送する場合であっても、円筒体を簡単に支持することができる円筒体の支持装置を提供することを目的とする。
【０００９】
【課題を解決するための手段】
上記課題を解決するため、本発明は、支持台の一面上に設けられ、円筒体を支持する支持機構を備える円筒体の支持装置において、支持機構が、一面上に回転自在に設けられるリング状の駆動歯車と、支持台の一面上であって駆動歯車の内側に、駆動歯車の回転に連動して回転するように設けられる複数の従動歯車と、複数の従動歯車のそれぞれに固定され円筒体を支持するための支持面を有するアームと、複数の従動歯車のそれぞれにアームを介して固定され円筒体を支持する支持部材とを備えることを特徴とする。
【００１０】
この支持装置によれば、円筒体がその内側に複数の支持部材を収めるようにして支持機構に載せられると、円筒体がアームの支持面により支持される。そして、駆動歯車に回転駆動力が付与されると、駆動歯車が回転し、駆動歯車の回転に連動して複数の従動歯車が回転し、これに連動してアーム及び支持部材が回転する。これにより、複数の支持部材が円筒体の内周面に押し当てられ、円筒体が支持される。このとき、アームがその支持面により円筒体を支持する機能を持つため、円筒体を支持するために、アームに対面する位置等に別途支持部材を設ける必要が無くなり、支持台の一面側で駆動歯車を露出させることが可能となる。このため、支持台の一面側から、駆動歯車に簡単に回転駆動力を付与することができる。よって、支持装置を搬送装置に載せた状態で円筒体を支持する場合でも、円筒体を簡単に支持することが可能となる。
【００１１】
上記円筒体が、電子写真感光体用円筒状基材と、電子写真感光体用円筒状基材の表面上に塗布されてなる感光体形成用塗布膜とを備えており、支持台が開口を有することが好ましい。
【００１２】
電子写真感光体用円筒状基材の表面上に感光体形成用塗布液が塗布されてなる円筒体は通常、支持装置に支持された状態で搬送される。この場合、円筒体の上側から乾燥空気が送られて感光体形成用塗布膜が乾燥される。このとき、支持台が開口を有することにより、円筒体の内側に流入される乾燥空気が、支持台の開口を通過する。このため、円筒体の内側に流入された乾燥空気が円筒体の内側で滞留することが十分に防止され、円筒体の上下での温度差が十分に小さくされる。従って、円筒体上下の温度差による感光体膜における品質ムラが十分に防止される。
【００１３】
また本発明は、支持台の一面上に設けられ、円筒体を支持する支持機構を複数備える円筒体の支持装置において、支持機構が、一面上に回転自在に設けられるリング状の駆動歯車と、支持台の一面上であって駆動歯車の内側に、駆動歯車の回転に連動して回転するように設けられる複数の従動歯車と、複数の従動歯車のそれぞれに固定され円筒体を支持するための支持面を有するアームと、複数の従動歯車のそれぞれにアームを介して固定され円筒体を支持する支持部材とを備えており、複数の駆動歯車同士間に設けられ複数の駆動歯車を一斉に連動して回転させる少なくとも１つの連結歯車を備えることを特徴とする。
【００１４】
この支持装置によれば、複数本の円筒体それぞれが、その内側に複数の支持部材を収めた状態で支持機構に載せられると、円筒体がアームの支持面により支持される。そして、駆動歯車に回転駆動力が付与されると、駆動歯車の回転に連動して複数の従動歯車が回転し、これに連動してアーム及び支持部材が回転する。これにより、複数の支持部材が円筒体の内周面に押し当てられ、円筒体が支持される。このとき、アームがその支持面により円筒体を支持する機能を持つため、円筒体を支持するために、アームに対面する位置等に別途支持部材を設ける必要が無くなり、支持台の一面側で駆動歯車を露出させることが可能となる。このため、支持台の一面側から、駆動歯車に簡単に回転駆動力を付与することができる。よって、支持装置を搬送装置に載せた状態で円筒体を支持する場合でも、円筒体を簡単に支持することが可能となる。一方、駆動歯車が回転すると、連結歯車により複数の駆動歯車が一斉に連動して回転する。このため、複数本の円筒体が複数の支持機構によって一斉に支持される。また連結歯車が複数の駆動歯車同士間に設けられるため、連結歯車の径を小さくすることにより、駆動歯車同士を近接させることが可能となる。
【００１５】
上記円筒体が、電子写真感光体用円筒状基材と、電子写真感光体用円筒状基材の表面上に塗布されてなる感光体形成用塗布膜とを備えており、支持台が複数の支持機構のそれぞれに対応して開口を有することが好ましい。この場合、複数の円筒体のそれぞれについて、円筒体上下の温度差による感光体における品質ムラが十分に防止される。
【００１６】
【発明の実施の形態】
以下、本発明の実施形態について詳細に説明する。なお、全図中、同一又は同等の構成要素には同一符号を付し、重複する説明を省略する。
【００１７】
図１は、本発明による円筒体の支持装置の第１実施形態を示す平面図、図２は、図１のＩＩ−ＩＩ線に沿った断面図であり、図１においては、図２に示すカバー１７は省略してある。図１及び図２に示すように、支持装置１は、平坦なベース面２ａを有する支持プレート（支持台）２を備えている。支持プレート２は、その中央に、乾燥空気を通すための円形開口３を有し、ベース面２ａ上には、円形開口３と同心状に、リング状の駆動歯車４が回転自在に載せられている。駆動歯車４の内周面には内歯４ａが形成されている。
【００１８】
なお、開口３は、乾燥空気を通すことができればよく、形状は円形に限定されるものではない。従って、開口３の形状は、四角形、楕円形等様々な形状でもよい。
【００１９】
また駆動歯車４の外周面からは駆動歯車４の径方向に沿って駆動ノブ９が突出している。駆動ノブ９には、その下面に溶接等によりナット１１が取り付けられ、ナット１１は、上側から駆動ノブ９を貫通するボルト１０と係合されている。そして、支持プレート２には、ナット１１を収容可能で且つナット１１の移動方向を、駆動歯車４の回転中心軸を中心とする円周方向に規制する円弧状の切欠き１２が形成されている。
【００２０】
またベース面２ａ上には、３つの内接歯車（従動歯車）５が回転軸６を介して回転自在に取り付けられている。３つの内接歯車５の外周にはそれぞれ歯５ａが形成され、３つの内接歯車５は、内接歯車５の歯５ａと駆動歯車４の内歯４ａとが互いに噛み合うように配置されている。なお、ベース面２ａに設けられた円形開口３は支持する円筒体の断面積よりも大きく、円筒体の軸芯と同芯状に設けられることが好ましい。３つの内接歯車５は、ベース面２ａに直交する方向で円形開口３と重なってもよいが、その場合は、内接歯車５の回転軸６をベース面２ａに取り付けられるよう、ベース面２ａを残して円形開口３を設けるようにする必要がある。
【００２１】
内接歯車５の上面には支持アーム７が固定され、支持アーム７は、円筒体を支持するための平坦な支持面７ａを有している。支持アーム７を長くすることにより、支持可能な円筒体の内径範囲を広げることができる。支持アーム７には、その支持面７ａと直交するように延びる支持ピン（支持部材）８が固定されている。各内接歯車５に設けられた支持ピン８は互いに平行となっている。また内接歯車５の回転中心軸線とその内接歯車５に固定された支持ピン８同士も互いに平行であり、回転中心軸線から支持ピン８までの距離は、３つの内接歯車５について全て等しくなっている。更に３つの内接歯車５は、駆動歯車４の内周に沿って等間隔に配置されることが好ましい。この場合、円筒体を安定に支持することができる。なお、本実施形態では、駆動歯車４、３つの内接歯車５、支持アーム７及び支持ピン８が円筒体の支持機構１９として機能する。
【００２２】
なお、図２に示すように、駆動歯車４の脱落防止のために支持プレート２にはカバー１７が設けられてもよい。但し、この場合、カバー１７には、切欠き１２の上方位置に、切欠き１２と同形状の切欠き１８を形成し、その切欠き１８を通してボルト１０を差し込み駆動ノブ９に貫通させる必要がある。このようにすることで、カバー１７が支持プレート２に設けられていても、支持プレート２のベース面２ａ側から駆動歯車４に容易に回転駆動力を与えることができる。
【００２３】
次に、上述した支持装置１への円筒体の支持方法について説明する。
【００２４】
まず図３に示すように、支持装置１を搬送装置（例えばコンベア）１３上に載せる。一方、所定の内径を有する円筒体１４を用意する。本実施形態では、円筒体１４として、電子写真感光体用円筒状基材１５の表面上に感光体形成用塗布膜１６が塗布されたものが用いられる。感光体形成用塗布膜１６は、電荷輸送層形成用塗布膜、電荷発生層形成用塗布膜、下引き層形成用塗布膜、表面保護層形成用塗布膜、あるいは、それらの積層膜のいずれでもよい。
【００２５】
そして、円筒体１４を直立させた状態で、３本の支持ピン８が円筒体１４の内側に収められるように円筒体１４を下降させる。こうして円筒体１４が３つの支持アーム７の支持面７ａ上に載せられ、円筒体１４が３つの支持アーム７によって支持される。従って、支持プレート２のベース面２ａ上で、駆動歯車４を露出させることが可能となる。
【００２６】
次に、駆動ノブ９を切欠き１２に沿って移動させる。すると、駆動歯車４がその周方向に沿って回転し、その回転に連動して３つの内接歯車５が一斉に回転する。３つの内接歯車５にはそれぞれ、支持アーム７を介して支持ピン８が固定されているため、３つの内接歯車５の回転により、各内接歯車５に固定された支持ピン８が内接歯車５の中心周りに円弧状に回転する。これにより、３本の支持ピン８が円筒体１４の内面に押し当てられ、円筒体１４が３本の支持ピン８によってしっかりと支持されるようになる。
【００２７】
このとき、上述したように駆動歯車４を支持プレート２のベース面２ａ上で露出することが可能となるため、支持プレート２のベース面２ａ側から駆動歯車４に簡単に回転駆動力を付与することができる。従って、支持装置１が搬送装置１３上に載せられた状態であっても、円筒体を簡単に支持することが可能となる。また支持装置１は、上記のように支持ピン８同士の間隔を任意に広げることができるため、様々な内径の円筒体を支持する必要がある場合であっても、支持装置１を交換することなく対応可能である。
【００２８】
なお、円筒体１４を支持装置１から取り外す場合は、駆動ノブ９を逆方向に移動させ、支持ピン８による円筒体内面への押圧力を解除すればよい。
【００２９】
次に、上述の支持装置１を用いた上記円筒体の乾燥方法について説明する。
【００３０】
上記のようにして支持装置１により円筒体１４を支持し、搬送装置１３によって円筒体１４を乾燥炉などの乾燥装置（図示せず）まで搬送する。
【００３１】
乾燥装置においては、円筒体１４の上方から乾燥空気を吹き付ける。乾燥空気の温度は通常、６０℃〜１８０℃にする。このとき、乾燥空気は、円筒体１４の内側を通過した後、支持プレート２の円形開口３を通過する（図４参照）。すなわち乾燥空気は、円筒体１４の内側を通り抜けることができる。このため、乾燥空気が円筒体１４の内側で滞留することが十分に防止され、円筒体上下での温度差を十分に小さくすることができる。従って、温度差による感光体の品質ムラを十分に防止することができる。また乾燥空気が円筒体１４の内側を通り抜けることができるため、乾燥時間が短くなり、乾燥にかかるランニングコストを十分に低減できる。
【００３２】
上記のようにして、所定時間、円筒体１４に乾燥空気を吹き付けたならば、乾燥空気の吹付けを停止する。こうして円筒体の乾燥が完了する。
【００３３】
次に、本発明に係る円筒体の支持装置の第２実施形態について説明する。
【００３４】
図５は、本発明に係る円筒体の支持装置の第２実施形態を示す平面図である。図５に示すように、本実施形態の支持装置２０は、以下の点で第１実施形態の支持装置１と相違する。第１に、支持装置２０は、支持プレート２上に５つの支持機構１９，２１ｂ〜２１ｅを備える点である。ここで、支持機構２１ｂ〜２１ｅは、駆動ノブ９を有しない以外は支持機構１９と同様の構成である。第２に、支持機構１９，２１ｂ〜２１ｅは駆動歯車４の外周に外歯を有している点である。第３に、駆動歯車４同士間に、駆動歯車４の回転に連動して他の駆動歯車４を回転させる連結歯車２２、２３が配置されている点である。ここで、連結歯車２２、２３は外周に歯を有し、連結歯車２２は、支持機構１９，２１ｂ，２１ｃの駆動歯車４同士間に設けられ、連結歯車２２の歯と、支持機構２１ａ〜２１ｃの駆動歯車４の外歯とが互いに噛み合っている。また連結歯車２３は支持機構２１ｃ〜２１ｅの駆動歯車４同士間に設けられ、連結歯車２３の歯と支持機構２１ｃ〜２１ｅの駆動歯車４の外歯とが互いに噛み合っている。第４に、支持プレート２には、支持機構１９，２１ｂ〜２１ｅの駆動歯車４と同心状に、乾燥空気を通すための開口が形成されている点である。
【００３５】
次に、上記支持装置２０への円筒体の支持方法について説明する。
【００３６】
まず支持装置２０を搬送装置１３上に載せる。次に、５本の円筒体を各支持機構１９，２１ｂ〜２１ｅに載せる。そして、支持機構１９の駆動歯車４に設けられる駆動ノブ９を切欠き１２に沿って移動させる。
【００３７】
すると、支持機構１９の駆動歯車４が回転する。これにより、連結歯車２２が回転し、この回転に連動して支持機構２１ｂ，２１ｃの駆動歯車４、連結歯車２３、支持機構２１ｄ，２１ｅの駆動歯車４が回転する。これにより、５本の円筒体が一斉に支持機構１９、２１ｂ〜２１ｅによって支持されることになる。また連結歯車２２，２３がそれぞれ支持機構１９，２１ｂ〜２１ｅの駆動歯車４同士間に設けられるため、連結歯車２２，２３の径を小さくすることで駆動歯車４同士を近接させることが可能となる。従って、支持プレート２の支持面２ａ上のスペースを有効に利用することができ、支持装置２１の小型化を図ることができる。
【００３８】
次に、上記支持装置２０を用いた円筒体の乾燥方法について説明する。ここで、円筒体としては、第１実施形態の場合と同様に、電子写真感光体用円筒状基材の表面上に感光層形成用塗布液を塗布したものが用いられる。
【００３９】
まず搬送装置１３により、支持装置２０を乾燥装置に搬送する。次に、支持装置２０の上方から乾燥空気を吹き付ける。このとき、支持機構１９，２１ｂ〜２１ｅの駆動歯車４と同心状に、支持プレート２に開口が形成されているため、乾燥空気は、５本の円筒体の内側を通った後、支持プレート２の開口を通過する。このため、乾燥空気が各円筒体の内側で滞留することが十分に防止され、各円筒体上下での温度差を十分に小さくすることができる。従って、温度差による感光層の品質ムラを十分に防止することができる。
【００４０】
上記のようにして、所定時間、各円筒体に乾燥空気を吹き付けたならば、乾燥空気の吹付けを停止する。こうして円筒体の乾燥が完了する。
【００４１】
本発明は、上記実施形態に限定されるものではない。例えば第２実施形態では、連結歯車２２，２３が設けられているが、連結歯車２２，２３は必ずしも必要ではない。この場合、駆動歯車４の外周に外歯を形成する必要がない。連結歯車２２，２３が用いられない場合、支持機構１９，２１ｂ〜２１ｅのそれぞれにおいて独立して円筒体が支持される。
【００４２】
また上記第１及び第２実施形態では、円筒体として、電子写真感光体用円筒状基材の表面上に感光体形成用塗布液を塗布したものが用いられているが、円筒体は、電子写真感光体用円筒状基材の表面上に感光体形成用塗布液を塗布したものに限定されるものではなく、例えば円筒状基材や、円筒状基材の表面上に感光層が形成された電子写真感光体であっても構わない。要するに、支持装置で支持する対象が円筒体であればよい。
【００４３】
更に上記第１及び第２実施形態では、１つの支持機構において３つの内接歯車が用いられているが、内接歯車の数は３つに限定されない。内接歯車の数は、２つ以上であればよい。内接歯車の数が２つであっても、支持アーム７の幅を広くすることにより、円筒体を安定して支持することが可能である。
【００４４】
【実施例】
次に、実施例により本発明の内容をより具体的に説明するが、本発明は、この実施例に限定されるものではない。
（実施例１）
【００４５】
図１に示す支持装置１をベルトコンベア上に載せ、支持装置１を用いて、内径２８．５ｍｍ、長さ３４０ｍｍ、厚さ０．７５ｍｍのアルミニウム製の円筒状基材を支持した。このとき、駆動内歯車４が露出されていたため、支持プレート２のベース面２ａ側から駆動内歯車４を回転駆動させることができた。なお、支持装置１において、駆動内歯車のピッチ円直径は、６０ｍｍ、内接平歯車５のピッチ円直径は２０ｍｍであり、駆動内歯車ピッチ円３等分の位置に配し、支持ピン８は、支持アームを介して内接平歯車５の回転中心から１５ｍｍ離れるように内接歯車５に固定した。支持ピン８の長さは８０ｍｍ、直径６ｍｍであり、支持プレート２には、駆動内歯車４と同心状に、直径５５ｍｍの円形開口３を形成した。なお、支持プレート２には、内接平歯車５の回転軸６を固定することができる延長部分が円形開口部３内側に向けて設けられている。
【００４６】
次に、支持装置１を、搬送装置としてのローラコンベアにより、１３５℃に設定された乾燥炉まで搬送した。そして、乾燥炉において、１３５℃の空気をパイプ上部より吹き付けるようにして円筒体を乾燥させた。
【００４７】
このとき、熱電対をパイプ上端から２０ｍｍ、下端から２０ｍｍに貼り付け、キーエンスのデータ収集システムＮＲ２５０にて測定することにより円筒体の表面温度を測定し、円筒体の平均表面温度と上昇時間との関係を調べた。結果を表１に、上下温度差を表２に示す。
【表１】
2004240265.tif 000003
【表２】
2004240265.tif 000004
（実施例２）
【００４８】
円形開口をアルミ板で塞いだ以外は、実施例１と同様にして支持装置１を構成した。そして、実施例１と同様にして、支持装置１に円筒体を支持し、コンベアにより支持装置１を乾燥炉まで搬送し、円筒体の表面温度を測定し、円筒体の表面温度と上昇時間との関係を調べた。結果を表１に示す。なお、支持プレート２のベース面２ａ側から駆動歯車４を回転駆動させることができる点は実施例１と同様であった。
【００４９】
上述したように、実施例１及び実施例２のいずれの場合も、支持プレート２のベース面２ａ側から駆動歯車４を回転駆動させることができ、支持装置１を搬送装置に載せた状態で円筒体を手動で簡単に支持できることが分かった。また表１の結果より、支持装置１において円形開口をアルミ板で塞がない方（実施例１）が、塞がない場合（実施例２）に比べて、１２８℃に達するまでの円筒体の表面温度の上昇時間が２０％以上短縮されることが分かった。
【００５０】
【発明の効果】
以上説明したように本発明による円筒体の支持装置によれば、アームがその支持面により円筒体を支持する機能を持つため、円筒体を支持するために、アームに対面して別途支持部材を設ける必要が無くなり、支持台の一面側で駆動歯車を露出させることが可能となる。このため、支持台の一面側から、駆動歯車に簡単に回転駆動力を付与することができる。よって、支持装置を搬送装置に載せた状態で円筒体を支持する場合でも、円筒体を簡単に支持することが可能となる。
【図面の簡単な説明】
【図１】本発明に係る円筒体の支持装置の一実施形態を示す平面図である。
【図２】図１のＩＩ−ＩＩ線に沿った断面図である。
【図３】搬送装置上に載せられた支持装置を概略的に示す切断面端面図である。
【図４】支持装置における乾燥空気の流れを概略的に示す切断面端面図である。
【図５】本発明に係る円筒体の支持装置の他の実施形態を示す平面図である。
【図６】従来の円筒体の支持装置の一例を示す断面図である。
【符号の説明】
１…支持装置、２…支持プレート（支持台）、２ａ…ベース面（一面）、３…開口、４…駆動歯車、５…内接歯車（従動歯車）、７…支持アーム（アーム）、７ａ…支持面、８…支持ピン（支持部材）、１４…円筒体、１５…電子写真感光体用円筒状基材、１６…感光体形成用塗布膜、１９，２１ｂ〜２１ｅ…支持機構、２２，２３…連結歯車。
【図１】
2004240265.tif 000005
【図２】
2004240265.tif 000006
【図３】
2004240265.tif 000007
【図４】
2004240265.tif 000008
【図５】
2004240265.tif 000009
【図６】
2004240265.tif 000010